(57)【特許請求の範囲】
【請求項１】
右目用映像表示部と左目用映像表示部とが混在した３Ｄ映像を現出させる為の３Ｄ映像表示体の製造方法であって、透明な支持材上に接着剤を介して位相差機能を有する延伸ＰＶＡフィルムを設け、続いて、この延伸ＰＶＡフィルムの所定位置にレジスト部材を設けた後、８０℃〜１００℃の熱水に５秒〜１０分以内浸漬させることで、該レジスト部材の存在しない部分に水を浸透させて該部分の位相差機能を消失せしめて該延伸ＰＶＡフィルムにしてレジスト部材が存在する部分及びレジスト部材が存在しない部分のいずれか一方を右目用映像表示部、他方を左目用映像表示部とし、続いて、乾燥後前記レジスト部材側に液晶表示部材を該液晶表示部材の液晶セルのピッチと前記右目用映像表示部及び左目用映像表示部とが合致するように重ね合わせ若しくは貼り合わせることを特徴とする３Ｄ映像表示体の製造方法。
【請求項２】
右目用映像表示部と左目用映像表示部とが混在した３Ｄ映像を現出させる為の３Ｄ映像表示体の製造方法であって、透明な支持材上に接着剤を介してＴＡＣフィルム若しくはＣＡＢフィルムと位相差機能を有する延伸ＰＶＡフィルムとを積層した積層位相差フィルムを該ＴＡＣフィルム若しくはＣＡＢフィルムが該接着剤側となるように設け、続いて、この延伸ＰＶＡフィルムの所定位置にレジスト部材を設けた後、８０℃〜１００℃の熱水に５秒〜１０分以内浸漬させることで、該レジスト部材の存在しない部分に水を浸透させて該部分の位相差機能を消失せしめて該延伸ＰＶＡフィルムにしてレジスト部材が存在する部分及びレジスト部材が存在しない部分のいずれか一方を右目用映像表示部、他方を左目用映像表示部とし、続いて、乾燥後前記レジスト部材側に液晶表示部材を該液晶表示部材の液晶セルのピッチと前記右目用映像表示部及び左目用映像表示部とが合致するように重ね合わせ若しくは貼り合わせることを特徴とする３Ｄ映像表示体の製造方法。
【請求項３】
請求項２記載の３Ｄ映像表示体の製造方法において、レジスト部材は延伸ＰＶＡフィルムの一側から他側に向かう所定間隔をおいて設けられた線状体であることを特徴とする３Ｄ映像表示体の製造方法。
【請求項４】
請求項２，３いずれか１項に記載の３Ｄ映像表示体の製造方法において、レジスト部材は延伸ＰＶＡフィルム上にスクリーン印刷により設けられるレジストインクであることを特徴とする３Ｄ映像表示体の製造方法。
【発明の詳細な説明】
【０００１】
【発明の属する技術分野】
本発明は、３Ｄ映像を現出させる為の３Ｄ映像表示体の製造方法に関するものである。
【０００２】
【従来の技術及び発明が解決しようとする課題】
従来から、例えばＵＳＰ５,３２７,２８５号に示すような３Ｄ映像装置が提案されている。この３Ｄ映像装置は図１に図示したように液晶部材51の表面に右目用映像表示部ａと左目用映像表示部ｂとが交互に並設されたフィルム52を貼り合わせたもので、該液晶部材51の発光をコントロールして所定の映像を現出させる際、右目用映像表示部ａからは右目用映像を、また、左目用映像表示部ｂからは左目用映像を現出させるものである。そして、右目用映像表示部ａからの右目用映像を構成する偏光の振動方向は左目用表示部ｂからの左目用映像を構成する偏光の振動方向に対し９０°の角度を有する偏光となるように構成されている為（二成分ｘ，ｙから成る右目用映像の例えばｘ成分は、同様に二成分ｘ，ｙから成る左目映像のｘ成分に対して１８０°（π）の位相差を有するように構成されている為)、右目用映像のみを透過する偏光板付右目用レンズと左目用映像のみを透過する偏光板付左目用レンズとから成る偏光メガネで該映像を見ると、観察者は立体映像を観念し得ることになる。
【０００３】
ところで、前記右目用映像表示部ａ及び左目用映像表示部ｂが交互に並設されたフィルム52の製造方法はこれまで前記ＵＳＰ５,３２７,２８５号のFig２に開示されているように、ＴＡＣフィルムとヨウ素処理した延伸ＰＶＡフィルムとを積層した偏光フィルムにフォトレジストをコートし、所定部分を露光後、水酸化カリウム溶液で処理して延伸ＰＶＡフィルムが有する特定の波長域の光の振動方向を直線偏光状態のまま回転し得る性質（位相差機能）を消失させるという方法で製造されている。しかし、この方法はフォトレジストのコート後、露光させ、更に、水酸化カリウム溶液で処理しなければならず、非常に煩雑な製造方法である。ＵＳＰ５,３２７,２８５号には上記のような化学的処理によりフィルム52を製造する数種の方法、及び物理的処理によりフィルム52を製造する方法等が開示されているが、いずれも同様に煩雑な製造方法である。
【０００４】
本発明は非常に簡易にして量産性に秀れた右目用映像表示部ａ及び左目用映像表示部ｂが混在するフィルムを及びその製造方法を提供するものである。
【０００５】
【課題を解決するための手段】
添付図面を参照して本発明の要旨を説明する。
【０００６】
右目用映像表示部ａと左目用映像表示部ｂとが混在した３Ｄ映像を現出させる為の３Ｄ映像表示体の製造方法であって、透明な支持材１上に接着剤２を介して位相差機能を有する延伸ＰＶＡフィルム７を設け、続いて、この延伸ＰＶＡフィルム７の所定位置にレジスト部材４を設けた後、８０℃〜１００℃の熱水に５秒〜１０分以内浸漬させることで、該レジスト部材４の存在しない部分に水を浸透させて該部分の位相差機能を消失せしめて該延伸ＰＶＡフィルム７にしてレジスト部材４が存在する部分及びレジスト部材４が存在しない部分のいずれか一方を右目用映像表示部ａ、他方を左目用映像表示部ｂとし、続いて、乾燥後前記レジスト部材４側に液晶表示部材５を該液晶表示部材５の液晶セルのピッチと前記右目用映像表示部ａ及び左目用映像表示部ｂとが合致するように重ね合わせ若しくは貼り合わせることを特徴とする３Ｄ映像表示体の製造方法に係るものである。
【０００７】
また、右目用映像表示部ａと左目用映像表示部ｂとが混在した３Ｄ映像を現出させる為の３Ｄ映像表示体の製造方法であって、透明な支持材１上に接着剤２を介してＴＡＣフィルム６若しくはＣＡＢフィルムと位相差機能を有する延伸ＰＶＡフィルム７とを積層した積層位相差フィルム３を該ＴＡＣフィルム６若しくはＣＡＢフィルムが該接着剤２側となるように設け、続いて、この延伸ＰＶＡフィルム７の所定位置にレジスト部材４を設けた後、８０℃〜１００℃の熱水に５秒〜１０分以内浸漬させることで、該レジスト部材４の存在しない部分に水を浸透させて該部分の位相差機能を消失せしめて該延伸ＰＶＡフィルム７にしてレジスト部材４が存在する部分及びレジスト部材４が存在しない部分のいずれか一方を右目用映像表示部ａ、他方を左目用映像表示部ｂとし、続いて、乾燥後前記レジスト部材４側に液晶表示部材５を該液晶表示部材５の液晶セルのピッチと前記右目用映像表示部ａ及び左目用映像表示部ｂとが合致するように重ね合わせ若しくは貼り合わせることを特徴とする３Ｄ映像表示体の製造方法に係るものである。
【０００８】
また、請求項２記載の３Ｄ映像表示体の製造方法において、レジスト部材４は延伸ＰＶＡフィルム７の一側から他側に向かう所定間隔をおいて設けられた線状体であることを特徴とする３Ｄ映像表示体の製造方法に係るものである。
【０００９】
また、請求項２，３いずれか１項に記載の３Ｄ映像表示体の製造方法において、レジスト部材４は延伸ＰＶＡフィルム７上にスクリーン印刷により設けられるレジストインクであることを特徴とする３Ｄ映像表示体の製造方法に係るものである。
【００１０】
【発明の作用及び効果】
延伸ＰＶＡフィルム７の所定位置にレジスト部材４を設けた後、湯に浸漬させると、延伸ＰＶＡフィルム７のレジスト部材４の存在しない部分に水が浸透し、該部分が変質し、該部分のみ特定の波長域の光の振動方向を直線偏光状態のまま回転し得る性質（位相差機能）が消失し、レジスト部材４が存在する部分とレジスト部分４が存在しない部分とで透過光の位相が１８０°ずれるフィルムが得られることになる。
【００１１】
よって、単に熱水に浸漬させるという操作のみで右目用映像表示部ａ及び左目用映像表示部ｂが混在したフィルムを量産し得ることになる。
【００１２】
【発明の実施の形態】
図２は本発明の実施例を図示したもので、以下に詳述する。
【００１３】
透明な支持材１（例えば厚さ２ｍｍ程度のガラス板やセルロースアセテートブチレート（ＣＡＢ）板等）上に接着剤２（例えば紫外線硬化性樹脂）を介してＴＡＣフィルム６（厚さ１２６μｍ）と位相差機能を有する位相差フィルム（１／２波長板）としての一軸延伸ＰＶＡフィルム７（厚さ３８μｍ）とを積層した積層位相差フィルム３を設け、紫外線により紫外線硬化性樹脂を硬化させる。尚、支持材１は複屈折性を有しないガラス板が最も望ましい。また、積層位相差フィルム３は延伸ＰＶＡフィルム７にＴＡＣフィルム６を積層したものの他、延伸ＰＶＡフィルム７にＣＡＢフィルムを積層したもの等でもよく、要は延伸ＰＶＡフィルム７に複屈折性を有しないフィルムを積層したものであれば積層位相差フィルム３として採用し得る。
【００１４】
続いて、この一軸延伸ＰＶＡフィルム７の所定位置にレジスト部材４としての耐水性の高いレジストインクをスクリーン印刷により施す。この場合のレジストインクは、延伸ＰＶＡフィルム７の表面に一側から他側に向かって施される１６０μｍ幅の線状体であり、この線状体は１６０μｍのピッチをおいて並設されている。
【００１５】
尚、レジストインクは上記のように等幅且つ等ピッチである必要はなく、また、線状体でなくても、例えば平面視正方形状体を千鳥状に配するようにしても良い。
【００１６】
続いて、これを８０℃の熱水に約３０秒程度浸漬し（勿論周面には適宜な防水処理を施す。)、レジストインクが存在しない部分に水を浸透させることで延伸ＰＶＡフィルム７の分子の方向性を破壊し、延伸前の状態、即ち、延伸ＰＶＡフィルム７が元来有する前記位相差機能を消失させ、レジストインクが存在する部分を例えば右目用映像表示部ａとし、レジストインクが存在しない部分を左目用映像表示部ｂとする。尚、種々実験した結果、８０℃〜１００℃の熱水に５秒〜１０分以内浸漬すれば同様に上記延伸ＰＶＡフィルム７の性質が消失することを確認している。
【００１７】
続いて、レジストインクが透明の場合にはそのまま、また、レジストインクが透明でない場合には該レジストインク除去後、内部に液晶が設けられた表示部材５とマグネット等で重ね合わせ若しくは適宜な接着剤により貼り合わせ、３Ｄ映像表示体とする。
【００１８】
レジストインクを施す位置、即ち、右目用映像表示部ａ及び左目用映像表示部ｂの位置は貼り合わせる表示部材５の液晶セルのピッチに合致するように設定する。
【００１９】
以上の製造方法により右目用映像表示部ａと左目用映像表示部ｂとが並設されたフィルムを簡易に得ることができ、よって、３Ｄ映像表示体も簡易に得ることが可能となる。
【００２０】
尚、上記製造においては各部材をロール状とすれば連続製造が可能となり、一層、３Ｄ映像表示体の量産性が向上することとなる。
【００２１】
このようにして製造した３Ｄ映像表示体からの映像を右目用映像表示部ａからの右目用映像のみを透過する偏光板付右目用レンズと左目用映像表示部ｂからの左目用映像（右目用映像を構成する光の振動方向に対し９０°直交する方向に振動する光により構成された映像）のみを透過する偏光板付左目用レンズとから成る偏光メガネで見ると、観察者は該映像を立体映像として観念し得ることになる。
【００２２】
尚、本実施例はＵＳＰ５,３２７,２８５号に開示された偏光板に右目用映像表示部及び左目用映像表示部を形成している技術とは異なり、位相差フィルムに右目用映像表示部ａ及び左目用映像表示部ｂを形成しているため、偏光光を発する表示部材５と組み合わせることが必要となる。
【図面の簡単な説明】
【図１】  従来からある３Ｄ映像装置の説明図である。
【図２】  本実施例の構成説明図である。
【符号の説明】
１  支持材
２  接着剤
３  積層位相差フィルム
４  レジスト部材
５  表示部材
６  ＴＡＣフィルム
７  延伸ＰＶＡフィルム
ａ  右目用映像表示部
ｂ  左目用映像表示部
【図１】
0003806283.tif 000002
【図２】
0003806283.tif 000003